(57)【要約】【課題】接触部と被接触部との間の異物の混入を抑制することができ、検知端子と相手検知端子との導通信頼性を向上することができる嵌合検知コネクタを提供する。【解決手段】接触部３が設けられた検知端子５と、この検知端子５を収容する第１ハウジング７と、この第１ハウジング７に嵌合可能な第２ハウジング９と、この第２ハウジング９に収容され第１ハウジング７と第２ハウジング９との正規嵌合状態で接触部３に接触される被接触部１１が設けられた相手検知端子１３とを備えた嵌合検知コネクタ１において、第１ハウジング７と第２ハウジング９とに、相手検知端子１３の被接触部１１が検知端子５の接触部３に接触される前に、第１ハウジング７と第２ハウジング９との嵌合により被接触部１１と摺動する第１摺動部１５と、接触部３と摺動する第２摺動部１７とを設けた。【選択図】図６
2015026510.tif 000002
【特許請求の範囲】
【請求項１】
接触部が設けられた検知端子と、この検知端子を収容する第１ハウジングと、この第１ハウジングに嵌合可能な第２ハウジングと、この第２ハウジングに収容され前記第１ハウジングと前記第２ハウジングとの正規嵌合状態で前記接触部に接触される被接触部が設けられた相手検知端子とを備えた嵌合検知コネクタであって、
前記第１ハウジングには、前記相手検知端子の被接触部が前記検知端子の接触部に接触される前に、前記第１ハウジングと前記第２ハウジングとの嵌合により前記被接触部と摺動する第１摺動部が設けられ、
前記第２ハウジングには、前記相手検知端子の被接触部が前記検知端子の接触部に接触される前に、前記第１ハウジングと前記第２ハウジングとの嵌合により前記接触部と摺動する第２摺動部が設けられていることを特徴とする嵌合検知コネクタ。
【請求項２】
請求項１記載の嵌合検知コネクタであって、
前記第２ハウジングには、前記相手検知端子の被接触部を支持し前記第１ハウジングへの嵌合方向下流側に向けてリブが延設され、前記第１ハウジングには、前記第１ハウジングと前記第２ハウジングとの嵌合により前記リブを挿入可能な開口部が設けられ、
前記第１摺動部は、前記開口部の開口端に設けられ、前記第２摺動部は、前記リブの先端に設けられていることを特徴とする嵌合検知コネクタ。
【請求項３】
請求項２記載の嵌合検知コネクタであって、
前記第１ハウジングには、箱状の接続部を有する複数の端子が収容され、前記第２ハウジングには、前記第１ハウジングと前記第２ハウジングとの正規嵌合状態で前記箱状の接続部に挿入されるタブ状の被接続部を有する複数の相手端子が収容され、
前記リブは、前記相手端子の被接続部より前記第１ハウジングへの嵌合方向下流側に向けて長く延設されていることを特徴とする嵌合検知コネクタ。
【請求項４】
請求項１乃至３のいずれか１項に記載の嵌合検知コネクタであって、
前記検知端子には、前記接触部が設けられ前記接触部を付勢力によって前記相手検知端子の被接触部に接触させる弾性片が設けられ、
前記第１ハウジングと前記第２ハウジングとのうち少なくとも一方には、前記第１ハウジングと前記第２ハウジングとが正規嵌合状態となるまでの間に前記弾性片の付勢力に抗して前記弾性片を変位させる変位部が設けられていることを特徴とする嵌合検知コネクタ。
【発明の詳細な説明】
【技術分野】
【０００１】
本発明は、嵌合検知コネクタに関する。
【背景技術】
【０００２】
従来、嵌合検知コネクタとしては、接触部としての接点部が設けられた検知端子としての短絡電極と、この短絡電極を収容する第１ハウジングと、この第１ハウジングに嵌合可能な第２ハウジングと、この第２ハウジングに収容され第１ハウジングと第２ハウジングとの正規嵌合状態で接点部に接触される被接触部としての接触面が設けられた相手検知端子としての検知電極とを備えたものが知られている（例えば、特許文献１参照）。
【０００３】
この嵌合検知コネクタでは、検知電極が一対設けられており、第１ハウジングと第２ハウジングとの正規嵌合状態で、短絡電極の接点部が一対の検知電極の接触面に接触され、短絡電極を介して一対の検知電極が導通されることによって、第１ハウジングと第２ハウジングとの正規嵌合状態を検知することができる。
【先行技術文献】
【特許文献】
【０００４】
【特許文献１】特開平９−２７４９６７号公報
【発明の概要】
【発明が解決しようとする課題】
【０００５】
ところで、上記特許文献１のような嵌合検知コネクタでは、第１ハウジングと第２ハウジングとが嵌合するときに、検知端子の接触部が相手検知端子の被接触部と摺動することにより、接触部や被接触部に付着していたゴミや埃が押し退けられる構造となっている。
【０００６】
しかしながら、上記特許文献１のように、検知端子の接触部と、相手検知端子の被接触部との摺動によってゴミや埃などの異物を除去する構造では、第１ハウジングと第２ハウジングとが正規嵌合状態となったときに、接触部や被接触部の近傍に除去された異物が堆積されてしまう。
【０００７】
このため、第１ハウジングと第２ハウジングとにガタなどが生じ、検知端子の接触部が相手検知端子の被接触部から動いてしまった場合、接触部と被接触部との間に堆積された異物が入り込んでしまい、検知端子と相手検知端子との導通不良を生じる恐れがあった。
【０００８】
そこで、この発明は、接触部と被接触部との間の異物の混入を抑制することができ、検知端子と相手検知端子との導通信頼性を向上することができる嵌合検知コネクタの提供を目的としている。
【課題を解決するための手段】
【０００９】
請求項１記載の発明は、接触部が設けられた検知端子と、この検知端子を収容する第１ハウジングと、この第１ハウジングに嵌合可能な第２ハウジングと、この第２ハウジングに収容され前記第１ハウジングと前記第２ハウジングとの正規嵌合状態で前記接触部に接触される被接触部が設けられた相手検知端子とを備えた嵌合検知コネクタであって、前記第１ハウジングには、前記相手検知端子の被接触部が前記検知端子の接触部に接触される前に、前記第１ハウジングと前記第２ハウジングとの嵌合により前記被接触部と摺動する第１摺動部が設けられ、前記第２ハウジングには、前記相手検知端子の被接触部が前記検知端子の接触部に接触される前に、前記第１ハウジングと前記第２ハウジングとの嵌合により前記接触部と摺動する第２摺動部が設けられていることを特徴とする。
【００１０】
この嵌合検知コネクタでは、相手検知端子の被接触部が検知端子の接触部に接触される前に、第１摺動部と第２摺動部とが相手検知端子の被接触部と検知端子の接触部とにそれぞれ摺動するので、接触部と被接触部とが接触した状態で、接触部と被接触部との近傍に除去された接触部や被接触部に付着していたゴミや埃などの異物が堆積されることがない。
【００１１】
従って、このような嵌合検知コネクタでは、外力などによって検知端子の接触部が相手検知端子の被接触部から動いたとしても、接触部と被接触部との間の異物の混入を抑制することができ、検知端子と相手検知端子との導通信頼性を向上することができる。
【００１２】
請求項２記載の発明は、請求項１記載の嵌合検知コネクタであって、前記第２ハウジングには、前記相手検知端子の被接触部を支持し前記第１ハウジングへの嵌合方向下流側に向けてリブが延設され、前記第１ハウジングには、前記第１ハウジングと前記第２ハウジングとの嵌合により前記リブを挿入可能な開口部が設けられ、前記第１摺動部は、前記開口部の開口端に設けられ、前記第２摺動部は、前記リブの先端に設けられていることを特徴とする。
【００１３】
この嵌合検知コネクタでは、第１摺動部が開口部の開口端に設けられ、第２摺動部がリブの先端に設けられているので、大きな設計変更を必要とすることがなく、簡易な構造で第１摺動部と第２摺動部とを設けることができる。
【００１４】
請求項３記載の発明は、請求項２記載の嵌合検知コネクタであって、前記第１ハウジングには、箱状の接続部を有する複数の端子が収容され、前記第２ハウジングには、前記第１ハウジングと前記第２ハウジングとの正規嵌合状態で前記箱状の接続部に挿入されるタブ状の被接続部を有する複数の相手端子が収容され、前記リブは、前記相手端子の被接続部より前記第１ハウジングへの嵌合方向下流側に向けて長く延設されていることを特徴とする。
【００１５】
この嵌合検知コネクタでは、リブが相手端子の被接続部より第１ハウジングへの嵌合方向下流側に向けて長く延設されているので、第２ハウジングに対して第１ハウジングが傾いて嵌合されたとしても、第１ハウジングとリブの先端側とが先に干渉し、第１ハウジングと相手端子の被接続部との干渉を防止でき、相手端子の被接続部を保護することができる。
【００１６】
請求項４記載の発明は、請求項１乃至３のいずれか１項に記載の嵌合検知コネクタであって、前記検知端子には、前記接触部が設けられ前記接触部を付勢力によって前記相手検知端子の被接触部に接触させる弾性片が設けられ、前記第１ハウジングと前記第２ハウジングとのうち少なくとも一方には、前記第１ハウジングと前記第２ハウジングとが正規嵌合状態となるまでの間に前記弾性片の付勢力に抗して前記弾性片を変位させる変位部が設けられていることを特徴とする。
【００１７】
この嵌合検知コネクタでは、第１ハウジングと第２ハウジングとのうち少なくとも一方に第１ハウジングと第２ハウジングとが正規嵌合状態となるまでの間に弾性片の付勢力に抗して弾性片を変位させる変位部が設けられているので、第１ハウジングと第２ハウジングとの半嵌合状態で、変位部による弾性片の変位によって検知端子の接触部と相手検知端子の被接触部とが接触することがなく、第１ハウジングと第２ハウジングとの半嵌合状態を確実に検知することができる。
【発明の効果】
【００１８】
本発明によれば、接触部と被接触部との間の異物の混入を抑制することができ、検知端子と相手検知端子との導通信頼性を向上することができる嵌合検知コネクタを提供することができるという効果を奏する。
【図面の簡単な説明】
【００１９】
【図１】本発明の実施の形態に係る嵌合検知コネクタの斜視図である。
【図２】本発明の実施の形態に係る嵌合検知コネクタの第１ハウジングの断面図である。
【図３】（ａ）は本発明の実施の形態に係る嵌合検知コネクタの第１ハウジングの斜視図である。（ｂ）は図３（ａ）の要部拡大図である。
【図４】本発明の実施の形態に係る嵌合検知コネクタの第２ハウジングの断面図である。
【図５】本発明の実施の形態に係る嵌合検知コネクタの第１ハウジングと第２ハウジングとを誤って嵌合させたときを示す図である。
【図６】本発明の実施の形態に係る嵌合検知コネクタの第１ハウジングと第２ハウジングとの嵌合途中の断面図である。
【図７】本発明の実施の形態に係る嵌合検知コネクタの第１ハウジングと第２ハウジングとの正規嵌合状態の断面図である。
【図８】（ａ）は本発明の実施の形態に係る嵌合検知コネクタの検知端子の接触部と第２摺動部とが摺動したときの断面図である。（ｂ）は図８（ａ）の要部拡大図である。
【図９】（ａ）は本発明の実施の形態に係る嵌合検知コネクタの相手検知端子の被接触部と第１摺動部とが摺動したときの断面図である。（ｂ）は図９（ａ）の要部拡大図である。
【発明を実施するための形態】
【００２０】
図１〜図９を用いて本発明の実施の形態に係る嵌合検知コネクタについて説明する。
【００２１】
本実施の形態に係る嵌合検知コネクタ１は、接触部３が設けられた検知端子５と、この検知端子５を収容する第１ハウジング７と、この第１ハウジング７に嵌合可能な第２ハウジング９と、この第２ハウジング９に収容され第１ハウジング７と第２ハウジング９との正規嵌合状態で接触部３に接触される被接触部１１が設けられた相手検知端子１３とを備えている。
【００２２】
そして、第１ハウジング７には、相手検知端子１３の被接触部１１が検知端子５の接触部３に接触される前に、第１ハウジング７と第２ハウジング９との嵌合により被接触部１１と摺動する第１摺動部１５が設けられ、第２ハウジング９には、相手検知端子１３の被接触部１１が検知端子５の接触部３に接触される前に、第１ハウジング７と第２ハウジング９との嵌合により接触部３と摺動する第２摺動部１７が設けられている。
【００２３】
また、第２ハウジング９には、相手検知端子１３の被接触部１１を支持し第１ハウジング７への嵌合方向下流側に向けてリブ１９が延設され、第１ハウジング７には、第１ハウジング７と第２ハウジング９との嵌合によりリブ１９を挿入可能な開口部２１が設けられている。
【００２４】
そして、第１摺動部１５は、開口部２１の開口端に設けられ、第２摺動部１７は、リブ１９の先端に設けられている。
【００２５】
さらに、第１ハウジング７には、箱状の接続部２３を有する複数の端子２５が収容され、第２ハウジング９には、第１ハウジング７と第２ハウジング９との正規嵌合状態で箱状の接続部２３に挿入されるタブ状の被接続部２７を有する複数の相手端子２９が収容されている。
【００２６】
そして、リブ１９は、相手端子２９の被接続部２７より第１ハウジング７への嵌合方向下流側に向けて長く延設されている。
【００２７】
また、検知端子５には、接触部３が設けられ接触部３を付勢力によって相手検知端子１３の被接触部１１に接触させる弾性片３１が設けられている。
【００２８】
そして、第１ハウジング７には、第１ハウジング７と第２ハウジング９とが正規嵌合状態となるまでの間に弾性片３１の付勢力に抗して弾性片３１を変位させる変位部３３が設けられている。
【００２９】
図１〜図９に示すように、検知端子５は、薄板状の導電性材料を打ち抜き加工と折り曲げ加工とを施すことにより、基部３５に対して弾性片３１と、一対の接触部３，３とが設けられる。なお、検知端子５は、２つの導体間を接続させる短絡端子が用いられることが好ましい。
【００３０】
弾性片３１は、基部３５の一端側を折り曲げ加工することにより基部３５と連続する一部材で形成され、所定の付勢力を有して弾性変形可能に設けられている。この弾性片３１の先端部には、一対の接触部３，３が設けられている。
【００３１】
一対の接触部３，３は、弾性片３１の先端部にそれぞれ半円状となるように折り曲げ形成され、弾性片３１の先端部の幅方向に並列に配置されている。この一対の接触部３，３は、弾性片３１の付勢力によって第２ハウジング９に収容された一対の相手検知端子１３，１３の被接触部１１，１１に接触され、検知端子５と一対の相手検知端子１３，１３とを電気的に接続させる。
【００３２】
このような検知端子５は、基部３５が第１ハウジング７のロック部３７に設けられた挿入溝３９に挿入されてロック部３７に支持され、弾性片３１と一対の接触部３，３とが第１ハウジング７内部の収容室４１内に収容配置される。
【００３３】
第１ハウジング７は、合成樹脂などの絶縁性材料からなり、筐体状に形成され、収容室４１と、ロック部３７とを備えている。収容室４１は、第１ハウジング７内部の高さ方向の上側で幅方向の中央部に設けられ、検知端子５の弾性片３１と一対の接触部３，３とが収容配置されている。また、収容室４１のロック部３７の基端側に位置する壁部には、第２ハウジング９に収容された一対の相手検知端子１３，１３の被接触部１１，１１を支持するリブ１９を挿入可能な開口部２１が設けられている。
【００３４】
一方、収容室４１の高さ方向の下側と幅方向の両側には、電源や機器などに接続された電線４３の端部に加締めなどによって電気的に接続された箱状の接続部２３を有する雌端子からなる複数の端子２５が収容配置される複数の端子収容部４５が設けられている。
【００３５】
この複数の端子収容部４５に収容された複数の端子２５は、係止ランス４７や端子収容部４５に挿入される二重係止部材４９などと係止することによって抜け止めがなされている。このような端子収容部４５の上方に位置する収容室４１の上方には、ロック部３７が設けられている。
【００３６】
ロック部３７は、収容室４１の開口部２１側を基端として収容室４１の上方に揺動可能に設けられ、挿入溝３９と、係止凸部５１とを備えている。挿入溝３９は、ロック部３７の下面である収容室４１側に設けられ、検知端子５の基部３５が挿入されて検知端子５を支持する。このように挿入溝３９に検知端子５の基部３５を挿入して検知端子５を支持することにより、ロック部３７の揺動によって検知端子５の配置位置が変動される。
【００３７】
係止凸部５１は、ロック部３７の上面の中央部に設けられ、第２ハウジング９との嵌合方向の前側が傾斜面となっており、嵌合方向の後側が垂直面で形成された係止面となっている。この係止凸部５１は、第１ハウジング７と第２ハウジング９との嵌合時に、傾斜面が第２ハウジング９の被ロック部５３と当接することによってロック部３７を下方に向けて揺動させ、第１ハウジング７と第２ハウジング９との正規嵌合時に、係止面がロック部３７の上方への復元によって被ロック部５３に係止される。
【００３８】
なお、ロック部３７の先端側には、操作部５５が設けられており、操作部５５を下方に向けて押圧操作することによってロック部３７が下方に揺動され、係止凸部５１と被ロック部５３との係止が解除され、第１ハウジング７と第２ハウジング９との嵌合を解除することができる。
【００３９】
第２ハウジング９は、合成樹脂などの絶縁性材料からなり、筐体状に形成され、フード部５７と、リブ１９とを備えている。フード部５７は、第１ハウジング７との嵌合方向の前側が開口され、第２ハウジング９の幅方向に、ここでは３つ設けられ、各フード部５７に第１ハウジング７が嵌合可能となっている。また、フード部５７の開口端には、第１ハウジング７のロック部３７の係止凸部５１が当接及び係止される被ロック部５３が下方に向けて延設されている。このフード部５７内には、リブ１９が設けられている。
【００４０】
リブ１９は、フード部５７内において、一対の相手検知端子１３，１３が挿入される壁部から第１ハウジング７への嵌合方向下流側（フード部５７の開口側）に向けて延設されている。このリブ１９は、フード部５７内に配置される一対の相手検知端子１３，１３の被接触部１１，１１を支持し、第１ハウジング７と第２ハウジング９とを嵌合させることにより、第１ハウジング７の開口部２１から収容室４１内に挿入される。
【００４１】
一方、フード部５７には、Ｌ字状に形成され、一端が基板５９に接続され、他端側がタブ状の被接続部２７を有する雄端子からなる複数の相手端子２９の被接続部２７が収容配置されている。この複数の相手端子２９は、第１ハウジング７と第２ハウジング９とが正規嵌合状態となることにより、被接続部２７が第１ハウジング７に収容された複数の端子２５の箱状の接続部２３に挿入され、端子２５に電気的に接続される。
【００４２】
ここで、リブ１９は、複数の相手端子２９の被接続部２７より第１ハウジング７への嵌合方向下流側（フード部５７の開口側）に向けて長く延設されている。このようにリブ１９を設定することにより、例えば、図５に示すように、第１ハウジング７が傾いて第２ハウジング９のフード部５７内に誤って挿入されたとしても、リブ１９の先端側が被接続部２７より先に第１ハウジング７と干渉し、第１ハウジング７と被接続部２７との干渉を防止することができる。このようなリブ１９上には、一対の相手検知端子１３，１３の被接触部１１，１１が配置され、被接触部１１，１１をフード部５７内に保持する。
【００４３】
一対の相手検知端子１３，１３は、導電性材料からなり、Ｌ字状に形成され、一端側が基板５９に接続され、他端側がフード部５７内に挿入されてリブ１９上に支持される被接触部１１，１１となっている。また、被接触部１１，１１は、リブ１９上で、第１ハウジング７と第２ハウジング９との嵌合方向と直交する方向、詳細にはリブ１９の幅方向に並列に配置されている。
【００４４】
この一対の相手検知端子１３，１３は、基板５９に形成された導通回路にそれぞれ接続され、被接触部１１，１１に検知端子５の一対の接触部３，３がそれぞれ接触することによって検知端子５を介して一対の相手検知端子１３，１３が電気的に接続される。
【００４５】
このような一対の相手検知端子１３，１３は、第１ハウジング７と第２ハウジング９とが正規嵌合状態となったときに、被接触部１１，１１に検知端子５の弾性片３１の付勢力によって一対の接触部３，３が接触されて導通される。
【００４６】
この一対の相手検知端子１３，１３の導通の有無により、第１ハウジング７と第２ハウジング９との嵌合状態を検知することができる。このような検知端子５の弾性片３１は、第１ハウジング７に設けられた変位部３３によって変位される。
【００４７】
変位部３３は、第１ハウジング７の収容室４１内でロック部３７に対して対向して設けられ、ロック部３７側に突設された支点部６１を有する。この支点部６１は、検知端子５が第１ハウジング７に組付けられた状態で、検知端子５の弾性片３１に当接される。この支点部６１と検知端子５の弾性片３１との当接により、ロック部３７の揺動によって配置位置が変動される検知端子５の弾性片３１を付勢力に抗して変位させることができる。
【００４８】
詳細には、第１ハウジング７と第２ハウジング９との嵌合途中では、ロック部３７の下方への揺動によって検知端子５の配置位置が下方に変動されることにより、支点部６１が弾性片３１の付勢力に抗して弾性片３１を上方に変位させる。この弾性片３１の変位により、一対の接触部３，３と一対の相手検知端子１３，１３の被接触部１１，１１とが離間され、検知端子５と一対の相手検知端子１３，１３との導通が防止される。これにより、第１ハウジング７と第２ハウジング９とが半嵌合状態であることを検知することができる。
【００４９】
一方、第１ハウジング７と第２ハウジング９との正規嵌合状態では、ロック部３７の上方への揺動によって検知端子５の配置位置が上方に変動されることにより、弾性片３１の付勢力によって弾性片３１が下方に変位される。この弾性片３１の変位により、一対の接触部３，３が弾性片３１の付勢力によって一対の相手検知端子１３，１３の被接触部１１，１１に接触され、検知端子５を介して一対の相手検知端子１３，１３が導通される。これにより、第１ハウジング７と第２ハウジング９とが正規嵌合状態であることを検知することができる。
【００５０】
このように検知端子５の一対の接触部３，３と一対の相手検知端子１３，１３の被接触部１１，１１との接触の有無、すなわち検知端子５を介した一対の相手検知端子１３，１３の導通の有無によって、第１ハウジング７と第２ハウジング９との嵌合状態を検知することができる。
【００５１】
このような第１ハウジング７と第２ハウジング９との嵌合状態を検知する検知端子５の接触部３と相手検知端子１３の被接触部１１とには、それぞれの表面にゴミや埃、或いは表面に形成された酸化皮膜などの異物が付着していることがある。このような異物が付着していると、接触部３と被接触部１１との間に異物が介在されてしまうので、検知端子５と相手検知端子１３とに導通不良が生じる恐れがあった。
【００５２】
そこで、第１ハウジング７と第２ハウジング９とには、相手検知端子１３の被接触部１１と検知端子５の接触部３とに付着した異物を除去するために、それぞれ第１摺動部１５と第２摺動部１７とが設けられている。
【００５３】
第１摺動部１５は、第１ハウジング７の開口部２１の開口端から下方に向けて突設された突起となっている。また、第１摺動部１５は、一対の相手検知端子１３，１３の被接触部１１，１１と対応するように一対設けられている。
【００５４】
この第１摺動部１５は、第１ハウジング７と第２ハウジング９との嵌合によって、開口部２１にリブ１９が挿入されることにより、先端面が相手検知端子１３の被接触部１１の表面と摺動する。このとき、第１摺動部１５は、検知端子５の接触部３より第１ハウジング７と第２ハウジング９との嵌合方向の前側に位置するので、検知端子５の接触部３と相手検知端子１３の被接触部１１とが接触する前に、相手検知端子１３の被接触部１１と摺動する。
【００５５】
この第１摺動部１５と相手検知端子１３の被接触部１１との摺動により、検知端子５の接触部３と相手検知端子１３の被接触部１１とが接触する前に、相手検知端子１３の被接触部１１の表面に付着したゴミや埃、或いは表面に形成された酸化皮膜などの異物を除去することができる。
【００５６】
加えて、相手検知端子１３の被接触部１１は、第１摺動部１５によって異物が除去された後、開口部２１から第１ハウジング７内に収容配置されるので、相手検知端子１３の被接触部１１の表面に、除去された異物が堆積することを防止することができる。
【００５７】
第２摺動部１７は、第２ハウジング９のリブ１９の先端側に幅方向に沿って設けられ、第１ハウジング７と第２ハウジング９と嵌合方向の前側から後側に向けて上り傾斜となる傾斜面となっている。また、第２摺動部１７の幅は、検知端子５の一対の接触部３，３と対応するように設定されている。
【００５８】
この第２摺動部１７は、第１ハウジング７と第２ハウジング９とが嵌合を開始してからロック部３７が揺動を開始するまでの間に、第１ハウジング７と第２ハウジング９との嵌合による第１ハウジング７の開口部２１へのリブ１９の挿入によって、検知端子５の接触部３と摺動する。このとき、第２摺動部１７は、相手検知端子１３の被接触部１１より第１ハウジング７と第２ハウジング９との嵌合方向の前側に位置するので、検知端子５の接触部３と相手検知端子１３の被接触部１１とが接触する前に、検知端子５の接触部３と摺動する。
【００５９】
この第２摺動部１７と検知端子５の接触部３との摺動により、検知端子５の接触部３と相手検知端子１３の被接触部１１とが接触する前に、検知端子５の接触部３の表面に付着したゴミや埃、或いは表面に形成された酸化皮膜などの異物を除去することができる。
【００６０】
加えて、検知端子５の接触部３は、第２摺動部１７によって異物が除去された後、変位部３３による弾性片３１の変位によって第２摺動部１７から離間されるので、検知端子５の接触部３の表面に、除去された異物が堆積することを防止することができる。
【００６１】
このように検知端子５の接触部３と相手検知端子１３の被接触部１１とが接触する前に、第１摺動部１５と第２摺動部１７とによって接触部３と被接触部１１とに付着する異物を除去することにより、接触部３と被接触部１１とが接触した状態で、接触部３と被接触部１１との近傍に除去された異物が堆積されることを防止することができる。
【００６２】
このため、第１ハウジング７と第２ハウジング９とに生じるガタなどの外力によって、検知端子５の接触部３が相手検知端子１３の被接触部１１から動いたとしても、接触部３と被接触部１１との間に除去された異物の混入を防止することができ、異物介在による検知端子５と相手検知端子１３との導通不良を防止することができる。
【００６３】
このように構成された嵌合検知コネクタ１は、まず、第１ハウジング７に検知端子５と各部材を組付けると共に、第２ハウジング９に一対の相手検知端子１３，１３と各部材を組付ける。次に、第１ハウジング７と第２ハウジング９とを嵌合させる。
【００６４】
第１ハウジング７と第２ハウジング９とが嵌合を開始してからロック部３７が揺動を開始するまでの間には、第１ハウジング７の開口部２１から第２ハウジング９のリブ１９が挿入される。このとき、検知端子５の一対の接触部３，３とリブ１９の先端に設けられた第２摺動部１７とが摺動する。この摺動により、検知端子５の一対の接触部３，３の表面の異物が除去される。
【００６５】
第１ハウジング７と第２ハウジング９との嵌合途中では、ロック部３７の係止凸部５１が被ロック部５３の頂面に当接されロック部３７が下方に揺動され、検知端子５の配置位置が下方に変動される。この検知端子５の配置位置の変動により、変位部３３によって弾性片３１が上方に変位され、検知端子５の一対の接触部３，３と一対の相手検知端子１３，１３の被接触部１１，１１とが離間される。この接触解除により、検知端子５と一対の相手検知端子１３，１３との導通が防止され、第１ハウジング７と第２ハウジング９との半嵌合状態を検知することができる。
【００６６】
このとき、第１ハウジング７の開口部２１から第２ハウジング９のリブ１９がさらに挿入されており、一対の相手検知端子１３，１３の被接触部１１，１１と開口部２１の開口端に設けられた第１摺動部１５とが摺動する。この摺動により、一対の相手検知端子１３，１３の被接触部１１，１１の表面の異物が除去される。
【００６７】
そして、第１ハウジング７と第２ハウジング９とが正規嵌合状態となったときには、ロック部３７の係止凸部５１が被ロック部５３に係止されロック部３７が上方に揺動され、検知端子５の配置位置が上方に変動される。この検知端子５の配置位置の変動により、弾性片３１が付勢力によって下方に変位され、弾性片３１の付勢力によって一対の接触部３，３が一対の相手検知端子１３，１３の被接触部１１，１１に接触される。この接触により、検知端子５を介して一対の相手検知端子１３，１３が導通され、第１ハウジング７と第２ハウジング９とが正規嵌合状態となったことを検知することができる。
【００６８】
このような嵌合検知コネクタ１では、相手検知端子１３の被接触部１１が検知端子５の接触部３に接触される前に、第１摺動部１５と第２摺動部１７とが相手検知端子１３の被接触部１１と検知端子５の接触部３とにそれぞれ摺動するので、接触部３と被接触部１１とが接触した状態で、接触部３と被接触部１１との近傍に除去された接触部３や被接触部１１に付着していたゴミや埃などの異物が堆積されることがない。
【００６９】
従って、このような嵌合検知コネクタ１では、外力などによって検知端子５の接触部３が相手検知端子１３の被接触部１１から動いたとしても、接触部３と被接触部１１との間の異物の混入を抑制することができ、検知端子５と相手検知端子１３との導通信頼性を向上することができる。
【００７０】
また、第１摺動部１５は開口部２１の開口端に設けられ、第２摺動部１７はリブ１９の先端に設けられているので、大きな設計変更を必要とすることがなく、簡易な構造で第１摺動部１５と第２摺動部１７とを設けることができる。
【００７１】
さらに、リブ１９は、相手端子２９の被接続部２７より第１ハウジング７への嵌合方向下流側に向けて長く延設されているので、第２ハウジング９に対して第１ハウジング７が傾いて嵌合されたとしても、第１ハウジング７とリブ１９の先端側とが先に干渉し、第１ハウジング７と相手端子２９の被接続部２７との干渉を防止でき、相手端子２９の被接続部２７を保護することができる。
【００７２】
また、第１ハウジング７には、第１ハウジング７と第２ハウジング９とが正規嵌合状態となるまでの間に弾性片３１の付勢力に抗して弾性片３１を変位させる変位部３３が設けられているので、第１ハウジング７と第２ハウジング９との半嵌合状態で、変位部３３による弾性片３１の変位によって検知端子５の接触部３と相手検知端子１３の被接触部１１とが接触することがなく、第１ハウジング７と第２ハウジング９との半嵌合状態を確実に検知することができる。
【００７３】
なお、本発明の実施の形態に係る嵌合検知コネクタでは、第１ハウジングの開口部に第１摺動部を設け、第２ハウジングのリブに第２摺動部を設けているが、これに限らず、相手検知端子の被接触部が検知端子の接触部に接触される前に、第１摺動部と被接触部及び第２摺動部と接触部が摺動できる構造であれば、第１摺動部及び第２摺動部を第１ハウジング及び第２ハウジングのどの位置に設けてもよい。
【００７４】
また、検知端子の弾性片を変位させる変位部が第１ハウジングに設けられているが、これに限らず、例えば、第２ハウジングのリブに変位部を設けるなど、第１ハウジングと第２ハウジングとの半嵌合状態で検知端子の弾性片を変位させることができる構造であれば、第２ハウジングに変位部を設けてもよい。
【符号の説明】
【００７５】
１…嵌合検知コネクタ
３…接触部
５…検知端子
７…第１ハウジング
９…第２ハウジング
１１…被接触部
１３…相手検知端子
１５…第１摺動部
１７…第２摺動部
１９…リブ
２１…開口部
２３…接続部
２５…端子
２７…被接続部
２９…相手端子
３１…弾性片
３３…変位部
【図１】
2015026510.tif 000003
【図２】
2015026510.tif 000004
【図３】
2015026510.tif 000005
【図４】
2015026510.tif 000006
【図５】
2015026510.tif 000007
【図６】
2015026510.tif 000008
【図７】
2015026510.tif 000009
【図８】
2015026510.tif 000010
【図９】
2015026510.tif 000011